(57)【要約】【課題】  高温環境下において、付属装置に誤動作や破損が生じるのを防ぐと共に、チャネル変更の操作不能の状態でも、他の移動局との通信を確保することができる無線通信装置及び無線通信システムを提供する。【解決手段】  付属装置に温度が正常か異常かを示す温度情報を出力する温度センサ５７と、無線通信部３１からの電源電圧を遮断するスイッチ５８とを備え、温度情報が異常を示す場合には、スイッチ５８がオフになって電源電圧を遮断する無線通信装置であり、また、無線通信部３１が、異常を示す温度情報を受信すると、付属装置の温度が異常である旨を示す情報と、異常になる前にグループ内通信で使用していたチャネル情報とを指令装置１に送信し、指令装置１が、グループ内の複数の無線通信装置に、グループ内での使用チャネルとして、当該チャネル情報を送信する無線通信システムとしている。【選択図】        図３
2019114881.tif 000002
【特許請求の範囲】
【請求項１】
無線通信を行う無線通信部と、前記無線通信部に離れて接続する付属装置とを有する無線通信装置であって、
前記付属装置は、前記無線通信部が起動すると、前記付属装置内の温度を検出し、温度情報を出力する温度センサを備え、
前記無線通信部、または、前記付属装置は、前記温度情報に基づいて前記無線通信部からの電源電圧を前記付属装置内の各部に供給するかしないかを制御する制御部を備えたことを特徴とする無線通信装置。
【請求項２】
付属装置は、前記制御部として、前記無線通信部からの電源電圧を遮断するスイッチを備え、
前記スイッチは、初期状態でオフであり、前記温度センサからの前記温度情報が正常であることを示すものである場合、オンにして当該付属装置内の各部に電源電圧を供給して当該付属装置を起動し、前記温度センサからの前記温度情報が異常であることを示すものである場合、オフを維持して当該付属装置内の各部への電源電圧を遮断して当該付属装置の起動を抑止することを特徴とする請求項１記載の無線通信装置。
【請求項３】
前記無線通信部の前記制御部は、前記付属装置から受信した前記温度情報に基づいて、前記付属装置内の各部に電源電圧を供給して当該付属装置を起動するか、前記付属装置内の各部に電源電圧を供給せず当該付属装置の起動を抑止することを特徴とする請求項１記載に無線通信装置。
【請求項４】
前記温度センサは、前記付属装置内に設けられた電池で駆動されることを特徴とする請求項１乃至３のいずれか記載の無線通信装置。
【請求項５】
前記無線通信部は、前記温度センサを駆動する第1の電源電圧と、前記付属装置の各部を駆動する第２の電源電圧を生成する電源生成部を備え、
前記電源生成部は、前記無線通信部の起動時、前記第１の電源電圧を前記付属装置に供給し、前記温度センサは、前記電源生成部から供給される前記第１の電源電圧で駆動されることを特徴とする請求項１乃至３のいずれか記載の無線通信装置。
【請求項６】
請求項１乃至５のいずれか記載の無線通信装置をグループ内で複数備え、前記グループ内の複数の無線通信装置に一斉指令を送信する指令装置を有する無線通信システムであって、
前記無線通信部は、前記温度センサから異常であることを示す温度情報を入力すると、前記付属装置の温度の異常情報を前記指令装置に送信することを特徴とする無縁通信システム。
【請求項７】
前記無線通信部は、前記付属装置において設定されているチャネル情報を前記指令装置に送信し、
前記指令装置は、グループ内の他の無線通信装置に前記グループ内の使用チャネルとして前記チャネル情報を送信することを特徴とする請求項６記載の無線通信システム。
【発明の詳細な説明】
【技術分野】
【０００１】
本発明は、付属装置を備えた無線通信装置、及び複数の無線通信装置を備えた無線通信システムに係り、特に付属装置の破損や誤動作を防ぐと共に、無線通信装置間の通信を確保することができる無線通信装置及び無線通信システムに関する。
【背景技術】
【０００２】
［先行技術の説明：図９］
従来、例えば、消防無線等に用いられるシステムとして、指令装置と複数の移動局とを備えた無線通信システムがある。このような無線通信システムについて図９を用いて説明する。図９は、指令装置と移動局とを備えた無線通信システムの構成例を示す説明図である。
図９に示すように、無線通信システムは、指令装置１と、基地局２と、複数の移動局３とを備えている。
図９の例では、指令装置１、基地局２はそれぞれ１つのみ記載しているが、２台以上であってもよい。また、移動局３として移動局（１）と移動局（２）の２台を示しているが、３台以上であってもよい。移動局３は、車両に設置された無線通信装置である。
【０００３】
指令装置１は、複数の移動局３と通信を行うものであり、複数の移動局３に一斉に指示（指令）を出力する。一斉指令では、複数の移動局３に対して共通の下りチャネルを用いて一斉同報により送信を行う。
基地局２は、指令装置１と移動局３との通信を中継するものであり、ここでは、指令装置１とは有線回線で接続され、移動局３とは無線回線で接続される。
【０００４】
移動局３は、指令装置１からの一斉指令を受信すると共に、他の移動局３と同一チャネルを用いて個別通信を行う（グループ内通信）。グループ内通信は基地局２を介さずに行われてもよいし、基地局２を介して行われてもよい。
更に、図示は省略するが、移動局３は、共通の上りチャネルを用いて、指令装置１への送信を行う。
【０００５】
このような無線通信システムにおいては、指令装置１から送信された一斉指令は、基地局２を介して基地局２のサービスエリア内に存在する複数の移動局３に受信される。
また、移動局３同士は、グループ内で同一チャネルを用いて送受信（通話）を行って、情報共有を図る。
【０００６】
［従来の無線通信装置の構成：図１０］
次に、従来の無線通信装置（移動局）の構成について図１０を用いて説明する。図１０は、従来の無線通信装置の概略構成図である。
図１０に示すように、従来の無線通信装置（移動局）３００は、例えば車両に搭載される車載無線装置であり、無線通信部３０１と、アンテナ３０２と、車両バッテリ３０３と、付属装置として、操作部３０５、スピーカマイク３０６、ハンドセット３０７を備えている。
【０００７】
無線通信部３０１は、上述した基地局２を介した指令装置１との無線通信や、グループ内の別の移動局３との個別通信に伴う符号化／復号化、変調／復調、周波数変換等の信号処理を行う。
無線通信部３０１には、無線通信装置全体の電源オン／オフを切り替える電源スイッチ（電源ＳＷ）３０４が設けられている。
アンテナ３０２は、無線通信部３０１からの送信信号を無線信号として空中に出力し、受信した無線信号を無線通信部３０１に出力する。
車両バッテリ３０３は、無線通信装置３００の各部に電源電圧を供給する。
【０００８】
更に、無線通信装置３００には、複数の付属装置が設けられている。
図１０の例では、付属装置として、操作部３０５、スピーカマイク３０６、ハンドセット３０７が設けられ、それぞれ無線通信部３０１に接続されている。
操作部３０５は、例えば車両のダッシュボード等に搭載されてユーザ（隊員）が各種の操作を行うものであり、表示部や各種操作ボタンが設けられている。
【０００９】
ハンドセット３０７も同様にダッシュボード等に設けられ、例えば、隊員が手に持って音声を入力したり、無線チャネルの切り替え等の操作を行う。表示部が設けられているものもある。
スピーカマイク３０６は、マイクから入力された音声の音量を増幅して外部に出力する。
【００１０】
そして、従来の無線通信装置３００では、無線通信部３０１の電源スイッチ３０４がオンになると、車両バッテリ３０３から無線通信部３０１に電源電圧が供給され、更に付属装置である操作部３０５、スピーカマイク３０６、ハンドセット３０７にも電源電圧が供給されるようになっている。
つまり、従来の無線通信装置３００では、無線通信部３０１の電源が投入されると、自動的に全ての付属装置に電源電圧が供給されるようになっていた。
【００１１】
［従来の付属装置の構成例：図１１］
次に、従来の付属装置の構成例について図１１を用いて説明する。図１１は、従来の付属装置の構成例を示す説明図である。尚、ここでは、付属装置として図１０に示した操作部３０５を想定している。
図１１に示すように、従来の付属装置（操作部３０５）は、無線通信接続部５０１と、電圧変換部５０２と、付属装置制御部５０３と、表示部５０４と、スイッチインタフェース部（スイッチＩ／Ｆ）５０５とを備えている。
【００１２】
無線通信接続部５０１は、図１０に示した無線通信部３０１に接続するインタフェース部であり、無線通信部３０１から電源電圧が供給される電源供給ラインと、無線通信部３０１との情報のやり取りを行う情報伝送ラインが接続されている。
電圧変換部５０２は、電源供給ラインを介して入力される電源電圧を、付属装置（操作部３０５）内で用いられる所定の電圧に変換して、各部に供給する。
【００１３】
表示部５０４は、例えばグループ内通話に用いられているチャネルの情報を表示する。
スイッチＩ／Ｆ５０５は、各種スイッチに接続するインタフェース部である。
付属装置制御部５０３は、情報伝送ラインを介して付属装置内の各部を制御すると共に、無線通信部３０１との情報のやり取りを行う。
【００１４】
例えば、スイッチＩ／Ｆ５０５からグループ内通話に用いられるチャネルを変更する指示が入力されると、付属装置制御部５０３は、その旨を表示部５０４に表示し、チャネル変更の操作が為されると、変更されたチャネルの情報を無線通信接続部５０１を介して無線通信部３０１に通知するようになっている
【００１５】
［高温環境］
上述したように、付属装置である操作部３０５やハンドセット３０７は、車両のダッシュボード上に設置されることもあり、夏季にはダッシュボード表面の温度が９０℃近くまで上昇してしまう。
このような高温環境下において付属装置に電源が投入されると、例えば、ハンドセットのＬＣＤ（Liquid Crystal Display：液晶表示装置）画面が真っ黒になって、表示内容が分からなくなることがある。
【００１６】
［関連技術］
尚、無線通信装置及び無線通信システムに関する従来技術としては、特開２０１１−６１６８６号公報「無線通信装置」（特許文献１）がある。
特許文献１には、制御部の温度が上昇したときに、通常の動作電圧よりも低い電圧値に設定して、消費電力を抑制する無線通信装置が記載されている。
【先行技術文献】
【特許文献】
【００１７】
【特許文献１】特開２０１１−６１６８６号公報
【発明の概要】
【発明が解決しようとする課題】
【００１８】
上述したように、従来の無線通信装置では、高温環境においては、付属装置に用いられる電気部品の動作保証温度を超えてしまい、誤動作や破損が生じるおそれがあるという問題点があった。
【００１９】
また、従来の無線通信装置では、高温環境下でハンドセットや操作部が操作不能となった場合には、当該無線通信装置ではチャネル変更の操作を行うことができず、当該無線通信装置はグループ内の他の無線通信装置と通信ができない状態になってしまうという問題点があった。
【００２０】
尚、特許文献１には、付属装置が高温状態になった場合に電源供給を遮断する構成は記載されていない。
【００２１】
本発明は上記実状に鑑みて為されたもので、高温環境下において、付属装置に誤動作や破損が生じるのを防ぐことを目的とする。
また、本発明の別の目的は、無線通信装置がチャネル変更の操作不能の状態でも、他の無線通信装置との通信を確保することができるようにすることを目的とする。
【課題を解決するための手段】
【００２２】
上記従来例の問題点を解決するための本発明は、無線通信を行う無線通信部と、無線通信部に離れて接続する付属装置とを有する無線通信装置であって、付属装置は、無線通信部が起動すると、付属装置内の温度を検出し、温度情報を出力する温度センサを備え、無線通信部、または、付属装置は、温度情報に基づいて無線通信部からの電源電圧を付属装置内の各部に供給するかしないかを制御する制御部を備えたことを特徴としている。
【００２３】
また、本発明は、上記無線通信装置において、付属装置は、制御部として、無線通信部からの電源電圧を遮断するスイッチを備え、スイッチは、初期状態でオフであり、温度センサからの温度情報が正常であることを示すものである場合、オンにして当該付属装置内の各部に電源電圧を供給して当該付属装置を起動し、温度センサからの温度情報が異常であることを示すものである場合、オフを維持して当該付属装置内の各部への電源電圧を遮断して当該付属装置の起動を抑止することを特徴としている。
【００２４】
また、本発明は、上記無線通信装置において、無線通信部の制御部は、付属装置から受信した温度情報に基づいて、付属装置内の各部に電源電圧を供給して当該付属装置を起動するか、付属装置内の各部に電源電圧を供給せず当該付属装置の起動を抑止することを特徴としている。
【００２５】
また、本発明は、上記無線通信装置において、温度センサは、付属装置内に設けられた電池で駆動されることを特徴としている。
【００２６】
また、本発明は、上記無線通信装置において、無線通信部は、温度センサを駆動する第１の電源電圧と、前記付属装置の各部を駆動する第２の電源電圧を生成する電源生成部を備え、電源生成部は、無線通信部の起動時、前記第１の電源電圧を付属装置に供給し、温度センサは、電源生成部から供給される第１の電源電圧で駆動されることを特徴としている。
【００２７】
また、本発明は、上記無線通信装置をグループ内で複数備え、グループ内の複数の無線通信装置に一斉指令を送信する指令装置を有する無線通信システムであって、無線通信部は、温度センサから異常であることを示す温度情報を入力すると、付属装置の温度の異常情報を指令装置に送信することを特徴としている。
【００２８】
また、本発明は、上記無線通信システムにおいて、無線通信部は、付属装置において設定されているチャネル情報を前記指令装置に送信し、指令装置は、グループ内の他の無線通信装置にグループ内の使用チャネルとして当該チャネル情報を送信することを特徴としている。
【発明の効果】
【００２９】
本発明によれば、無線通信を行う無線通信部と、無線通信部に離れて接続する付属装置とを有する無線通信装置であって、付属装置は、無線通信部が起動すると、付属装置内の温度を検出し、温度情報を出力する温度センサを備え、無線通信部、または、付属装置は、温度情報に基づいて無線通信部からの電源電圧を付属装置内の各部に供給するかしないかを制御する制御部を備えた無線通信装置としているので、付属装置が高温状態になった場合には、電源をオフとして、付属装置の誤動作や破損を防ぐことができる効果がある。
【００３０】
また、本発明によれば、付属装置は、制御部として、無線通信部からの電源電圧を遮断するスイッチを備え、スイッチは、初期状態でオフであり、温度センサからの温度情報が正常であることを示すものである場合、オンにして当該付属装置内の各部に電源電圧を供給して当該付属装置を起動し、温度センサからの温度情報が異常であることを示すものである場合、オフを維持して当該付属装置内の各部への電源電圧を遮断して当該付属装置の起動を抑止する上記無線通信装置としているので、電源投入時に付属装置が高温状態になっている場合に電源電圧を供給しないようにして、誤動作や破損を防ぐ効果がある。
【００３１】
また、本発明によれば、無線通信部の制御部は、付属装置から受信した温度情報に基づいて、付属装置内の各部に電源電圧を供給して当該付属装置を起動するか、付属装置内の各部に電源電圧を供給せず当該付属装置の起動を抑止する上記無線通信装置としているので、付属装置にスイッチを設ける必要がなく、付属装置の構成を簡易にできる効果がある。
【００３２】
また、本発明によれば、温度センサは、付属装置内に設けられた電池で駆動される上記無線通信装置としているので、無線通信部から温度センサ用の電圧を供給する必要がなく、無線通信部の構成を簡易にできる効果がある。
【００３３】
また、本発明によれば、上記無線通信装置をグループ内で複数備え、グループ内の複数の無線通信装置に一斉指令を送信する指令装置を有する無線通信システムであって、無線通信部は、温度センサから異常であることを示す温度情報を入力すると、付属装置の温度の異常情報を指令装置に送信する無線通信システムとしているので、指令装置が、温度異常が発生した無線通信装置を特定して、グループの状況を把握することができる効果がある。
【００３４】
また、本発明によれば、無線通信部は、付属装置において設定されているチャネル情報を前記指令装置に送信し、指令装置は、グループ内の他の無線通信装置にグループ内の使用チャネルとして当該チャネル情報を送信する上記無線通信システムとしているので、付属装置が高温状態となってチャネル変更の操作ができない無線通信装置に設定されているチャネルを、グループ内の通信で使用するチャネルとすることができ、チャネル変更ができない無線通信装置のグループ内通信を確保することができる効果がある。
【図面の簡単な説明】
【００３５】
【図１】本無線通信装置の概略構成を示す概略構成図である。
【図２】無線通信部３１の構成ブロック図である。
【図３】本無線通信装置の付属装置の構成ブロック図である。
【図４】本無線通信システムの動作を示すシーケンス図である。尚、図４は、運用中の状態を示している。
【図５】応用例（１）の無線通信装置の付属装置の構成ブロック図である。
【図６】応用例（２）の無線通信装置の付属装置の構成ブロック図である。
【図７】応用例（２）の無線通信部の電源投入時の処理を示すフローチャートである。
【図８】応用例（２）の無線通信部３１の運用中における処理を示すフローチャートである。
【図９】指令装置と移動局とを備えた無線通信システムの構成例を示す説明図である。
【図１０】従来の無線通信装置の概略構成図である。
【図１１】従来の付属装置の構成例を示す説明図である。
【発明を実施するための形態】
【００３６】
本発明の実施の形態について図面を参照しながら説明する。
［実施の形態の概要］
本発明の実施の形態に係る無線通信装置は、無線通信部と付属装置とを備え、付属装置が、温度を検出して温度情報を出力する温度センサを備え、無線通信部又は付属装置が、温度センサからの温度情報に基づいて、付属装置内の各部に無線通信部からの電源電圧を供給するかしないかを制御する制御部を設けたものであり、温度情報が異常を示すものである場合には、無線通信部からの電源電圧を遮断することにより、高温環境下において、付属装置が誤動作を起こしたり、破損するのを防ぐことができるものである。
【００３７】
また、本発明の実施の形態に係る無線通信システムは、無線通信部が、付属装置の温度センサから、異常であることを示す温度情報を入力すると、付属装置の温度の異常情報と、自装置に設定されているチャネル情報とを指令装置に送信し、指令装置が、グループ内の他の無線通信装置に、グループ内での使用チャネルとして、当該チャネル情報を送信するようにしており、温度異常により付属装置が使用できずにチャネル変更ができない状態になっても、グループ内での通信を確保して、グループ内での情報共有を図ることができるものである。
【００３８】
本発明の実施の形態に係る無線通信システム（本無線通信システム）の基本的な構成は、図９に示した無線通信システムと同様である。また、本発明の実施の形態に係る無線通信装置（本無線通信装置）は、本無線通信システムにおける移動局に相当するものであるが、本発明の無線通信装置は移動局に限定されず、固定して使用される無線通信装置であってもよい。
本無線通信装置及び本無線通信システムは、移動局及び指令装置の構成及び動作が従来とは一部異なっており、特に、付属装置が高温状態となっていることを検知した場合の電源供給の処理と、グループ内通話で用いられるチャネル制御が特徴となっている。
【００３９】
［実施の形態に係る無線通信装置の構成：図１］
本発明の実施の形態に係る無線通信装置（本無線通信装置）の構成について図１を用いて説明する。図１は、本無線通信装置の概略構成を示す概略構成図である。
図１に示すように、本無線通信装置３０は、無線通信部３１と、アンテナ３２と、車両バッテリ３３と、付属装置である操作部３５、スピーカマイク３６、ハンドセット３７とを備えている。無線通信部３１には、電源スイッチ３４が設けられている。
【００４０】
本無線通信装置では、無線通信部３１と付属装置（ここでは操作部３５とする）の構成及び動作が特徴部分となっており、他の構成部分は従来と同様であるため、説明は省略する。
操作部３５はユーザの各種操作を受け付けるものであり、少なくとも通信チャネルの設定、変更を行う操作ボタン等を備えている。従って、本無線通信装置では、操作部３５が動かないと通信チャネルの変更ができないものとする。
【００４１】
本無線通信装置の特徴部分について説明する。
本無線通信装置の付属装置である操作部３は、温度センサ３８を備えている。
温度センサ３８は、操作部３５の温度を検出し、検出された温度が、予め設定されている基準温度（しきい値）以下であれば「正常」を示す温度情報を出力し、例えば図１に示すように操作部３５が高温領域に放置されていて基準温度を超えている場合には「異常」を示す温度情報を出力する。
ここで、温度センサ３８は、操作部３５の本体が動作する電圧よりも低い電圧で動作するものである。
【００４２】
また、図１では図示していないが、本無線通信装置の操作部３５には、操作部３５の各部に電源電圧を供給する（オン）か否（オフ）かを切り替えるスイッチが設けられている。スイッチは、電源投入前はオフになっている。
但し、温度センサ３８は、スイッチを介することなく無線通信部３１に接続され、駆動用の電源の供給を受けている。
【００４３】
無線通信部３１は、従来と同様に無線通信を行い、付属装置に電源電圧を供給すると共に、本無線通信装置の特徴として、電源投入時（起動時）には付属装置に設けられた温度センサ３８用の低い電圧を生成して、温度センサ３８に供給する。
【００４４】
本無線通信装置の電源投入時の動作について簡単に説明する。
無線通信部３１の電源スイッチ３４が投入されると、無線通信部３１は、温度センサ３８用の電圧を生成して、温度センサ３８のみに電源（低い電圧）を供給する。
操作部３５では、温度センサ３８から「正常」を示す温度情報が出力されると、スイッチがそれを検知して自律的にオンとなり、操作部３５全体に電源電圧を供給する。
【００４５】
温度センサ３８から「異常」を示す温度情報が出力されると、スイッチはオフのままとなり、操作部３５の本体には電源電圧は供給されない。
これにより、操作部３５が高温になっている状態では、電源電圧が供給されず、装置の誤動作や破損を防ぐことができるものである。
【００４６】
尚、ここでは、付属装置の例として操作部３５に温度センサ３８を設けた場合について説明するが、スピーカマイク３６、ハンドセット３７にも温度センサを設けてもよく、構成及び動作は操作部３５の場合と同様である。
【００４７】
［無線通信部３１の構成：図２］
次に、本無線通信装置の無線通信部３１の構成について図２を用いて説明する。図２は、無線通信部３１の構成ブロック図である。
図２に示すように、無線通信部３１は、無線部４１と、アンテナ４２と、制御部４３と、車両バッテリ接続部４４と、電源スイッチ（ＳＷ）４５と、付属装置接続部４７ａ、４７ｂ、４７ｃとを備えている。アンテナ４２は、図１に示したアンテナ３２と同等であり、電源スイッチ４５は、図１に示した電源スイッチ３４と同等の部分である。
【００４８】
無線通信部３１の各部について説明する。
無線部４１は、無線通信に伴う各種信号処理を行う。
車両バッテリ接続部４４は、図１に示した車両バッテリ３３に接続する。
付属装置接続部４７ａ、４７ｂ、４７ｃ（付属装置接続部４７とする）は、付属装置に接続するインタフェース部であり、それぞれ、操作部３５、スピーカマイク３６、ハンドセット３７に接続する。
【００４９】
尚、図示は省略するが、付属装置接続部４７と制御部４３との間、及び付属装置接続部４７と対応する付属装置との間には、電源供給ラインと、情報伝送ラインとが設けられている。
ここでは、図を簡単にするために、付属装置接続部４７ａのみに電源電圧の供給ライン（太線）と、温度センサ用の低い電圧の供給ライン（細線）、及び情報伝送ライン（点線）を記載し、付属装置接続部４７ｂ，４７ｃについては省略している。
【００５０】
制御部４３は、本無線通信装置の無線通信部３１全体の制御を行うものであり、電源生成部４６を備えている。
電源生成部４６は、本無線通信装置の特徴部分であり、車両バッテリ３３から供給される電源電圧（例えば１３．８Ｖ）を、無線通信部３１の各部及び各付属装置接続部４７を介して付属装置に供給すると共に、温度センサ３８駆動用の低い電圧（温度センサ用電圧、３〜５Ｖ、例えば５Ｖ）に変換して、付属装置接続部４７ａに供給する。
スピーカマイク３６やハンドセット３７にも温度センサが設けられている場合には、対応する付属装置接続部４７ｂ、４７ｃにも温度センサ用電圧を供給する。
また、電源生成部４６は、従来と同様に無線通信部３１の各部に電源電圧を供給している。
【００５１】
そして、電源スイッチ４５がオンになると、車両バッテリ接続部４４を介して車両バッテリ３３から電源生成部４６に電源電圧が供給される。
電源生成部４６は、そのままの電源電圧（１３．８Ｖ）を無線通信部３１の各部と付属装置接続部４７に供給すると共に、温度センサ用電圧（５Ｖ）を生成して、付属装置接続部４７ａに出力する。
これにより、付属装置接続部４７ａに接続する操作部３５に、電源電圧と温度センサ用電圧とが供給される。尚、電源電圧（１３．８Ｖ）は、請求項に記載した第１の電源電圧に相当し、温度センサ用電圧（５Ｖ）は、第２の電源電圧に相当している。
【００５２】
また、電源生成部４６は、操作部３５全体を起動するために、温度センサ用電圧よりも高い電圧（例えば１３．８Ｖ）を生成して、付属装置接続部４７ａに出力する。
更に、無線通信部３１の制御部４３は、付属装置接続部４７ａから温度異常を示すアラーム情報が入力されると、本無線通信装置のＩＤ（移動局のＩＤ）を付して、温度異常が発生していることを示すアラーム情報を生成し、無線部４１を介して指令装置に送信する。この処理については後述する。
【００５３】
［付属装置の構成：図３］
次に、本無線通信装置の付属装置（本付属装置）の構成について図３を用いて説明する。図３は、本無線通信装置の付属装置の構成ブロック図である。尚、ここでは、付属装置として操作部３５を想定している。
図３に示すように、本付属装置は、無線通信接続部５１と、電圧変換部５２と、付属装置制御部５３と、表示部５４と、スイッチＩ／Ｆ５５と、温度センサ５７と、スイッチ（ＳＷ）５８とを備えている。
【００５４】
電圧変換部５２、付属装置制御部５３、表示部５４、スイッチＩ／Ｆ５５は、それぞれ、図１１に示した従来の電圧変換部５０２、付属装置制御部５０３、表示部５０４、スイッチＩ／Ｆ５０５と同等であるため、ここでは説明を省略する。
【００５５】
無線通信接続部５１は、無線通信部３１に接続するものであり、電源供給ラインと、情報伝送ライン（図示省略）によって無線通信部３１に接続されている。
ここで、太線は電源電圧を供給する電源供給ラインを示し、細線は温度センサ用電圧供給ラインを示している。つまり、付属装置は２種類の電源の供給を受けるものである。尚、情報伝送ラインは省略している。
【００５６】
温度センサ５７は、図１に示した温度センサ３８と同一であり、付属装置（操作部）３５の温度を検出し、高温状態であることを検知した場合には、「異常」を示す温度情報を出力する。
具体的には、温度センサ５７は、検出された温度が予め設定された基準値（しきい値）以下であれば、「正常」の温度情報を、しきい値を超えていれば「異常」の温度情報を、情報伝送ラインを介してスイッチ５８と無線通信接続部５１とに出力する。
【００５７】
尚、温度センサ５７は、検出された温度がしきい値を超えている場合のみ、「異常」を示す温度情報をアラーム情報として出力するようにしてもよい。
また、温度センサ５７は、操作部３５本体の電源電圧より低い温度センサ用電圧（５Ｖ）で駆動するものであり、本無線通信装置の電源投入後、無線通信接続部５１から、常時温度センサ用電圧の供給を受けてもよいし、電源投入後は電源供給を受けなくてもよい。
つまり、電源生成部４６は、温度センサ５７から正常を示す温度情報を受信すると、温度センサ５７への電源電圧の供給を停止してもよい。これにより消費電力を低減できる。
【００５８】
スイッチ５８は、本無線通信装置の特徴部分であり、温度センサ５７からの温度情報に基づいて、電圧変換部５２への電源電圧供給をオンまたはオフに切り替える。スイッチ５８は、請求項に記載した制御部に相当している。
スイッチ５８は、電源投入前の状態（初期状態）はオフになっており、本無線通信装置の電源が投入された直後に、操作部３５の各部に電源電圧が供給されることはない。図３では、電源投入直後の状態を示しており、スイッチ５８はオフである。
そして、温度センサ５７から「正常」の温度情報が入力されると、スイッチ５８はオンに切り替わって電圧変換部５２に電源電圧を供給し、電圧変換部５２から各部に電圧が供給される。
【００５９】
［付属装置の動作：図３］
無線通信部３１の電源スイッチ４５がオンになると、付属装置（操作部３５）の無線通信接続部５１には、無線通信部３１の電源生成部４６から電源電圧（１３．８Ｖ）と温度センサ用電圧（５Ｖ）とが供給される。ここで、スイッチ５８には電源電圧が供給され、温度センサ５７には温度センサ用電圧が供給される。スイッチ５８はこの時点ではオフであり、他の部分には電源電圧は供給されない。
【００６０】
そして、温度センサ５７が温度を検出して「正常」又は「異常」を示す温度情報を出力する。
スイッチ５８は、温度センサ５７からの温度情報が「正常」であった場合には、オンに切り替わって、電源電圧を電圧変換部５２に出力する。
また、温度情報が「異常」であった場合には、スイッチ５８はオフのままとなり、電源電圧を電圧変換部５２に出力せず、操作部３５は動作しない。
これにより、高温状態となっている場合に電源が投入されても、操作部３５が誤動作することや、破損することはない。
【００６１】
更に、温度センサ５７から無線通信接続部５１に出力された温度情報は、無線通信部３１の制御部４３に入力され、温度情報が「異常」の場合には、指令装置１にその旨報知される。
温度異常が発生した場合の本無線通信システムの動作については後述する。
【００６２】
［本無線通信システムの動作：図４］
次に、本無線通信装置の付属装置に温度異常が発生した場合の本無線通信システムの動作について図４を用いて説明する。図４は、本無線通信システムの動作を示すシーケンス図である。尚、図４は、運用中の状態を示している。
図４に示すように、運用中に、本無線通信システムの移動局（本無線通信装置）３０の付属装置（操作部）３５において、温度センサ５７が温度異常を検出すると（Ｓ１）、温度センサ５７は、スイッチ５８と無線通信部３１に「異常」を示す温度情報（温度アラーム）を出力する（Ｓ２）。
【００６３】
また、付属装置３５のスイッチ５８は、温度アラーム情報が入力されるとオフとなって、付属装置３５の各部への電源電圧供給を停止する（Ｓ３）。尚、処理Ｓ２と処理Ｓ３の順序は逆でもよい。
これにより、付属装置３５では、温度センサ５７とスイッチ５８以外は動作を停止し、チャネル変更等の操作ができなくなる。
【００６４】
そして、無線通信部３１の制御部４３は、付属装置３５からの温度アラーム情報を受信すると、付属装置において温度異常が発生した旨を指令装置１にアップロードする（高温アラーム情報アップロード）。その際、無線通信部３１は、自装置（移動局）のＩＤと、自装置で設定されているチャネル情報を付して温度異常を報知する（Ｓ４）。
【００６５】
指令装置１は、移動局３０から温度異常が報知されると、指令装置１では、アップロードされた情報に含まれるチャネル情報に基づいて、全てのグループ内の移動局３（ここでは移動局（２）とする）に対して一斉通信で、グループ内通信用のチャネルとして、当該チャネルを設定するよう指示する（同一チャネル利用指示）（Ｓ５）。
移動局３０からの温度異常の報知によって、指令装置１では温度異常の不具合がある移動局３０を認識して、状況を把握できるものである。
【００６６】
グループ内の移動局３は、同一チャネル利用指示を受信すると、グループ内通信用のチャネルとして、指定されたチャネルを設定する（同一チャネル設定）（Ｓ６）。
これにより、温度異常が発生した移動局３０において、付属装置がオフとなってチャネル変更の操作ができなくなっても、他の移動局３が当該移動局３０のチャネルに合わせるようにチャネル設定することで、温度異常となった移動局３０ではそのままグループ内通信を継続することができるものである。
【００６７】
尚、高温アラームの通知元の移動局において、温度異常となった付属装置の温度が正常に戻った場合には、その旨を指令装置１に通知して、指令装置１から全ての移動局に対して同一チャネル利用指示解除を一斉通信する。
それと共に、高温アラームの通知元の移動局では、付属装置のスイッチがオンとなって、電源供給を再開する。
【００６８】
［応用例（１）］
次に、本無線通信装置の応用例（１）について図５を用いて説明する。図５は、応用例（１）の無線通信装置の付属装置の構成ブロック図である。
図５に示すように、応用例（１）の付属装置（ここでは操作部とする）３５１は、温度センサ５７に駆動用の電圧を供給するバッテリ５９を備えている。
バッテリ５９は、３〜５Ｖの電圧を出力する。
つまり、温度センサ５７は、無線通信接続部５１から温度センサ用電圧を供給されるのではなく、バッテリ５９から供給される。
【００６９】
付属装置３５１において、温度センサ５７及び他の部分の構成及び動作は、上述した本無線通信装置の付属装置と同様であり、同一の符号を付している。
また、応用例（１）の無線通信部の基本的な構成は図２と同様であり、図２と同じ符号を用いて説明するが、電源生成部４６では温度センサ用電圧を生成しない。
【００７０】
このように、応用例（１）によれば、付属装置３５１に、温度センサ用電圧を供給するバッテリ５９を備えることにより、無線通信部３１の電源生成部４６が、車両バッテリからの電源電圧を温度センサ用電圧に変換する必要がなくなり、また、無線通信部３１から付属装置３５１への電源供給ラインも、１３．８Ｖの１本のみとして、無線通信装置全体の構成を簡易にすることができるものである。
【００７１】
［応用例（２）：図６］
次に、本無線通信装置の応用例（２）について図６を用いて説明する。図６は、応用例（２）の無線通信装置の付属装置の構成ブロック図である。
図６に示すように、応用例（２）の付属装置（ここでは操作部とする）３５２は、スイッチ５８を備えていない。付属装置３５２に対する電源電圧供給のオン／オフの制御は、無線通信部３１の制御部４３（電源生成部４６）が行うようになっている。
温度センサ５７の動作は、上述した本無線通信装置と同様であるが、温度情報は、無線通信接続部５１を介して無線通信部３１のみに出力される。
他の構成部分については、本無線通信装置の付属装置と同様である。
【００７２】
また、応用例（２）の無線通信部の基本的な構成は、図２に示した本無線通信装置の無線通信部３１と同様であるため、同一の符号を用いて説明するが、制御部４３の処理が一部異なっている。
【００７３】
［応用例（２）の無線通信部の電源投入時の動作：図７］
次に、応用例（２）の無線通信部の電源投入時の動作について図７を用いて説明する。図７は、応用例（２）の無線通信部の電源投入時の処理を示すフローチャートである。
図７に示すように、応用例（２）の無線通信部３１の制御部４３は、電源が投入されると、電源生成部４６で生成された温度センサ用電圧を付属装置３５２に供給する（１００）。この時点では、付属装置３５２本体への電源電圧は供給しない。
そして、無線通信部３１の制御部４３は、付属装置３５２の温度センサ５７からの温度情報を受信したかどうか判断し（１０２）、受信していない場合（Ｎｏの場合）は温度情報を待ち受ける。
【００７４】
処理１０２で温度情報を受信した場合には（Ｙｅｓの場合）、制御部４３は、受信した温度情報が「正常」を示すものであるかどうかを判断し（１０４）、「正常」でなかった場合（Ｎｏの場合）には、処理１０２に戻って温度情報を待ち受ける。つまり、制御部４３は電源生成部４６から付属装置３５２本体への電源電圧の供給を抑止する。
【００７５】
また、処理１０４において、温度情報が「正常」であれば（Ｙｅｓの場合）、制御部４３は、電源生成部４６から電源電圧を付属装置３５２に供給し（１０６）、処理を終わる。
これにより、付属装置３５２の温度が正常範囲であった場合には、付属装置３５２の各部に電源電圧が供給される。
【００７６】
このように、応用例（２）では、電源投入時に、付属装置３５２の温度が正常であった場合のみ電源電圧が供給され、異常であった場合には供給されず、付属装置３５２が高温状態になっている場合に電源電圧が供給されることによる誤動作や破損を防ぐことができるものである。
また、付属装置に電源供給のオン／オフを切り替えるスイッチを設ける必要がなく、付属装置の構成を簡易にすることができるものである。
【００７７】
［応用例（２）の無線通信部の運用中の動作：図８］
次に、応用例（２）の無線通信部の運用中の動作について図８を用いて説明する。図８は、応用例（２）の無線通信部３１の運用中における処理を示すフローチャートである。
図８に示すように、応用例（２）の無線通信部３１の制御部４３は、付属装置３５２から温度情報を待ち受け（２００）、受信すると（Ｙｅｓの場合）、温度情報が「正常」を示すものかどうかを判断し（２０２）、正常であれば、付属装置３５２に電源電圧を供給する（２０４）。
【００７８】
また、処理２０２において、温度情報が正常でなかった場合（Ｎｏの場合）には、制御部４３は、付属装置３５２への電源電圧の供給を停止し（２１０）、指令装置１に温度異常のアラームが発生した旨をアップロードする（高温アラーム情報アップロード）（２１２）。
これにより、運用中に付属装置３５２の温度が高温になった場合には、電源電圧が遮断されて、誤動作や破損を防ぐことができるものである。
【００７９】
高温アラーム情報がアップロードされた場合には、図４のシーケンスに従って、指令装置１から、グループ内の移動局に対して、同一チャネル利用指示が一斉送信される。
但し、無線通信部３１は、付属装置３５２に対して温度センサ用電圧の供給を続ける。
【００８０】
そして、無線通信部３１の制御部４３は、引き続き付属装置の温度センサからの温度情報を待ち受け、受信した温度情報が正常かどうかを判断し（２１４）、正常でなければ（Ｎｏの場合）、処理２１２に戻って温度情報の監視を続ける。
【００８１】
また、処理２１４で、受信した温度情報が正常であれば（Ｙｅｓの場合）、制御部４３は、指令装置１に温度異常から復帰してアラーム状態が解除されたことをアップロードする（高温アラーム解除アップロード）（２１６）。
そして、制御部４３は、処理２０４に移行して、付属装置３５２に電源電圧を供給する。
このようにして、応用例（２）の無線通信部３１の動作が行われるものである。
【００８２】
［バッテリを備えた構成］
尚、図６では、温度センサ５７用電圧を無線通信部から受けるようにしているが、図５に示した応用例（１）のように、バッテリから供給される構成としてもよい。
その場合には、無線通信部の電源生成部は温度センサ用電圧を生成する必要はない。
【００８３】
［実施の形態の効果］
本発明の実施の形態に係る無線通信装置によれば、付属装置３５に、温度が正常か異常かを示す温度情報を出力する温度センサ５７と、無線通信部３１から付属装置３５への電源電圧の供給（オン）／遮断（オフ）を切り替えるスイッチ５８とを備え、スイッチ５８が、温度センサ５７からの温度情報が正常である場合には、オンとなって無線通信部３１からの電源電圧を供給し、温度情報が異常である場合には、オフになって、無線通信部３１からの電源電圧を遮断するようにしており、高温環境下において、付属装置３５が誤動作を起こしたり、破損するのを防ぐことができる効果がある。
【００８４】
また、本無線通信システムによれば、無線通信部３１が、付属装置３５の温度センサ５７から、「異常」を示す温度情報を入力すると、付属装置３５の温度が異常である旨を示す情報に、異常になる前に使用していたチャネル情報を付して、高温アラーム情報として指令装置１に送信し、指令装置１が、グループ内の全ての無線通信装置に、グループ内通話用のチャネルとして、当該チャネル情報を送信するようにしており、温度異常により付属装置３５が使用できずにチャネル変更ができない状態の無線通信装置があっても、グループ内での通信を確保して、グループ内での情報共有を図ることができる効果がある。
【００８５】
また、本実施の形態の応用例（１）の無線通信装置によれば、温度センサ５７がバッテリ５９で駆動する構成としているので、無線通信部３１に温度センサ用電圧を生成する電源生成部４６を設けずに済み、無線通信部３１の構成を簡易にすることができる効果がある。
【００８６】
また、本実施の形態の応用例（２）の無線通信装置によれば、付属装置３５２にスイッチを設けず、無線通信部３１の制御部４３が、温度センサ５７からの温度情報が正常である場合には、付属装置３５２に電源電圧を供給し、温度情報が異常である場合には、付属装置３５２への電源電圧を遮断するようにしているので、高温環境下における付属装置３５２の誤動作や破損を防ぐことができ、また、付属装置３５２の構成を簡易にできる効果がある。
【００８７】
なお、上述した実施形態では、温度センサ３８、５７からの温度情報は、温度が閾値以上であるか否か、すなわち、正常／異常を示す情報である場合を例にあげた。しかし、温度情報は温度センサ３８、５７が検出した温度そのものの情報であってもよい。
この場合、応用例（２）においては、制御部４３が、温度センサからの温度情報が正常であるか異常であるかを、予め保存した閾値と比較して判断する処理が加わる。また、このような処理を上述した実施形態のスイッチ５８が判定回路や処理部を備えて実施してもよい。
【産業上の利用可能性】
【００８８】
本発明は、高温環境下において、付属装置に誤動作や破損が生じるのを防ぐと共に、チャネル変更の操作不能の状態でも、他の移動局との通信を確保することができる無線通信装置及び無線通信システムに適している。
【符号の説明】
【００８９】
１…指令装置、  ２…基地局、  ３…移動局、  ３０，３００…無線通信装置（移動局）、  ３１，３０１…無線通信部、  ３２，４２，３０２…アンテナ、  ３３，３０３…車両バッテリ、  ３４，４５，３０４…電源スイッチ、  ３５，３０５，３５１，３５２…操作部、  ３６，３０６…スピーカマイク、  ３７，３０７…ハンドセット、  ３８，５７…温度センサ、  ４１…無線部、  ４３…制御部、  ４４…車両バッテリ接続部、  ４６…電源生成部、  ４７…付属装置接続部、  ５１，５０１…無線通信接続部、  ５２，５０２…電圧変換部、  ５３，５０３…付属装置制御部、  ５４，５０４…表示部、  ５５，５０５…スイッチＩ／Ｆ、  ５８…スイッチ、  ５９…バッテリ
【図１】
2019114881.tif 000003
【図２】
2019114881.tif 000004
【図３】
2019114881.tif 000005
【図４】
2019114881.tif 000006
【図５】
2019114881.tif 000007
【図６】
2019114881.tif 000008
【図７】
2019114881.tif 000009
【図８】
2019114881.tif 000010
【図９】
2019114881.tif 000011
【図１０】
2019114881.tif 000012
【図１１】
2019114881.tif 000013